(57)【特許請求の範囲】
【請求項１】
表示部と、
印字部と、
装置本体の側面または裏面に設けた画像読み取り部とを有し、
前記画像読み取り部を装置本体に収納できるようにした携帯端末装置。
【請求項２】
請求項１記載の携帯端末装置において、
前記画像読み取り部を装置本体の側面に対して上方向または側面と平行な平面で回転可能に支持する携帯端末装置。
【請求項３】
請求項１又は２記載の携帯端末装置において、
装置本体の上部に印字部を有し、装置本体の側面に画像読み取り部を有する携帯端末装置。
【請求項４】
請求項１、２又は３記載の携帯端末装置において、
前記画像読み取り部は、バーコードを読み取るためのスキャナーである携帯端末装置。
【請求項５】
表示部と、
印字部と、
装置本体の正面側に前記印字部と表示部を設け、裏面側に折りたたみ構造の画像読み取り部を設けた携帯端末装置。
【請求項６】
請求項１、２、３、４又は５記載の携帯端末装置において、
前記画像読み取り部を着脱可能に構成し、前記画像読み取り部に無線送信部、装置本体側に無線受信部を設けた携帯端末装置。
【請求項７】
表示部と、
印字部と、
装置本体の側面又は裏面に設けた画像読み取り部とを有し、
前記画像読み取り部を装置本体の側面または裏面に対して上方向に、または側面または裏面と平行な平面で回転可能に支持すると共に、前記画像読み取り部を着脱可能に構成し、前記画像読み取り部に無線送信部、装置本体側に無線受信部を設けた携帯端末装置。
【請求項８】
表示部と、
印字部と、
装置本体の正面側に前記印字部と表示部を設け、裏面側に前記画像読み取り部を設け、前記画像読み取り部を着脱可能に構成し、前記画像読み取り部に無線送信部、装置本体側に無線受信部を設けた携帯端末装置。
【発明の詳細な説明】
【技術分野】
【０００１】
本発明は、携帯端末装置に関する。
【背景技術】
【０００２】
ハンドヘルドターミナル等の携帯端末装置が商品の在庫管理、販売管理のための道具として利用されてきている。ハンドヘルドターミナルは、商品に印刷されたバーコード等を読み取るためのスキャナが必要となる。一方、ハンドヘルドターミナルの用途によっては請求書等の印字機能が必要なものがあり、装置本体の上部に印字部を設けているものもある。
【０００３】
スキャナを有するハンドヘルドターミナルでは、ハンドヘルドターミナルを手に持った状態でバーコード等をスキャンし易いように装置本体の上部にスキャナが設けられている。そのため、装置本体の上部に印字部を設けたハンドヘルドターミナルでは、スキャナーユニットを装置本体と別に設け、それらの間をケーブルで接続する構造が採用されている。
【０００４】
しかしながら、スキャナとハンドヘルドターミナルが分離されていると、片手でハンドヘルドターミナルを持ち、もう片方の手でスキャナを持ってバーコードをスキャンする必要があり操作性が非常に悪かった。
【発明の概要】
【発明が解決しようとする課題】
【０００５】
本発明の課題は、印字部を有する携帯端末装置において、画像の読み取り時の操作性を向上させることである。
【課題を解決するための手段】
【０００６】
本発明に係る携帯端末装置は、キー入力部と、表示部と、印字部と、装置本体の側面または裏面に設けた画像読み取り部とを有し、前記画像読み取り部を装置本体に収納できるようにした。
【０００７】
この発明によれば、例えば、請求書等を印字部で印字し、さらにバーコード等を画像読み取り部で読み取ることができ、画像読み取り部をケーブル等で装置本体と接続する必要がないので、携帯端末装置の操作性を向上させることができる。
【０００８】
上記の発明において、前記画像読み取り部を測定対象物に向けたときに操作可能な位置に該画像読み取り部をオンさせるスイッチを設けても良い。また、前記スイッチを、指で操作できるように前記画像読み取り部の下部近傍に設けても良い。
【０００９】
このように構成することで、片手で帯端末装置を操作してバーコード等の画像を読み取ることができる。
上記の発明において、前記画像読み取り部を回転できるように取り付けも良い。
このように構成することで、例えば、バーコードの印刷されている方向に合わせて画像読み取り部のスキャン方向を変更できるので、バーコードが縦、横何れの方向に印刷されている場合でも、携帯端末装置の持ち方を変えずに同じようにしてバーコードを読み取ることができる。
【発明の効果】
【００１０】
本発明は、印字部を有する携帯端末装置の側面または裏面にバーコード等の読み取りを行う画像読み取り部を設けたので、バーコード等の読み取り時の操作性を向上させることができる。
【図面の簡単な説明】
【００１１】
【図１】第１の実施の形態のハンドヘルドターミナルの外観図である。
【図２】（Ａ）〜（Ｃ）は、第２の実施の形態の外観図及び内部構造図である。
【図３】第３の実施の形態の要部外観図である。
【図４】（Ａ）〜（Ｃ）は、第３の実施の形態の内部構造及び回転時の状態を示す図である。
【図５】第４の実施の形態の要部外観図である。
【図６】第４の実施の形態の内部構造及び回転時の状態を示す図である。
【図７】第５の実施の形態の要部外観図である。
【図８】第６の実施の形態の外観図である。
【発明を実施するための形態】
【００１２】
以下、本発明の実施の形態を図面を参照しながら説明する。図１は、本発明の第１の実施の形態のハンドヘルドターミナル（携帯端末装置）１１の外観図である。
このハンドヘルドターミナル１１の本体下部にはキー入力部１２が設けられ、その上部に液晶表示装置等からなる表示部１３が設けられている。さらに、その上部に印字部１４が設けられている。
【００１３】
ハンドヘルドターミナル１１の右側面には、バーコード等を読み取るためのレーザ式のスキャナ（画像読み取り部）１５が設けられ、その下部近傍にはスキャナ１５をオン、オフさせるためのスイッチ１６が設けられている。スイッチ１６は、上方から下方に向かって僅かに傾斜した形状をしており、ハンドヘルドターミナル１１を片手で握ったときに、指が自然にスイッチ１６に触れるようになっている。
【００１４】
また、ハンドヘルドターミナル１１の側面には、片手でハンドヘルドターミナル１１を握ったときの滑り止めのための突起１７が多数設けられている。
商品に印刷されたバーコードを読み取る場合には、読み取り対象のバーコードにスキャナ１５のレーザ光の照射口１５ａを向け、スイッチ１６を指で押圧してスキャンする。このとき読み取られたバーコードに対応する商品名等の情報が表示部１３に表示されるので、読み取ったバーコードの内容が正しいか否かをその場で確認することができる。
【００１５】
また、ハンドヘルドターミナル１１を利用して請求書を発行したいときには、内部に記憶してある請求書のデータ等を印字部１４で印字して出力することができる。
以下の実施の形態の説明では、外観図に印字部１４を示していないものもあるが、全てのハンドヘルドターミナルが上部に印字部１４を有している。また、それぞれの実施の形態の図面において図１と同じ部分には同じ符号をつけてそれらの説明は省略する。
【００１６】
図２（Ａ）〜（Ｃ）は、スキャナ２２を本体側に収納できるようにした本発明の第２の実施の形態のハンドヘルドターミナル２１の外観図及びスキャナ２１の内部構造を示す図である。
【００１７】
図２（Ａ）において、スキャナ２２は、ハンドヘルドターミナル２１に収納できるような構造となっており、スキャナ２２のカバー２３を指で下方向（図２の下方向）に押すことにより、スキャナ２２をハンドヘルドターミナル２１の内部に格納することができる。
【００１８】
図２（Ｂ）は、カバー２３が開いた状態、つまりバーコードの読み取りを行える状態のときの内部構造を示し、図２（Ｃ）は、カバー２３を閉じてスキャナ２２が内部に収納されたときの内部構造を示している。
【００１９】
カバー２３には、バネ２４により外方向の力が加わっており、外部から力を加えない状態では、カバー２３は開いた状態に保持される。スキャナ２２は、内部の制御基板（図示せず）とコード２５により接続されており、レーザ光の照射、反射光の受光を制御部の制御の元に行う。
【００２０】
カバー２３が開いた状態では、スキャナ２２の照射口２２ａは外方向を向いており、バーコード等を読み取ることができる。
ハンドヘルドターミナル１１の使用者が指でカバー２３を押さえ下方向の力を加えると、カバー２３は、軸２３ａを中心に時計方向に回転してスキャナ２２がハンドヘルドターミナル１１内部に収納される。カバー２３は、図示していないが係合部を有し、ハンドヘルドターミナル１１側の突起と係合してカバー２３はその位置に固定される。
【００２１】
次に、図３は、ハンドヘルドターミナル３１の側面に対してスキャナ部３２を上方向に回転できるようにした本発明の第３の実施の形態の要部外観図である。
図３に示すように、ハンドヘルドターミナル３１の側面に設けられたスキャナ部３２は、表示部１３の設けられている正面から見て上方向（図３の矢印の方向）に回転可能に取り付けられている。
【００２２】
図４（Ａ）〜（Ｃ）は、スキャナ部３２の内部構造及び回転時の状態を示す図である。
図４（Ｃ）に示すように、スキャナ部３２は、ケース３３とその内部に収納されたスキャナ３４とからなる。ケース３３には穴が設けられ、ケース３３の穴はハンドヘルドターミナル３１側の軸３５に挿入され、ケース３３が回転可能に支持されている。また、スキャナ３４には、レーザー光の発光及び反射光の受光を制御する信号が伝送されるケーブル３６が接続されている。
【００２３】
商品に印刷されたバーコード等を読み取るときには、照射口３３ａが右方向（図３の右方向、図４（Ａ）の下方向）を向くようにスキャナ部３２を固定する。
スキャナ３４を使用しないときには、使用者が、スキャナ部３２を上方向（図３の矢印の方向、図４（Ａ）の右方向）に回転させ、照射口３３ａが上方向を向くようにする。
【００２４】
これにより、スキャナ３４を使用しないときには、比較的衝撃に弱い照射口３３ａがハンドヘルドターミナル３１の上方向を向くようにできるので、ハンドヘルドターミナル３１を使用中に落としたりして照射口３３ａに直接衝撃が加わり、照射口３３ａが破損するのを防止できる。
【００２５】
次に、図５は、スキャナ部４２をハンドヘルドターミナル４１の側面に対して左右方向に回転できるようにした本発明の第４の実施の形態の要部外観図である。
図５に示すように、ハンドヘルドターミナル４１の右側面のスキャナ部４２は、側面に対して時計方向及び反時計方向に回転可能に取り付けられている。
【００２６】
図６（Ａ）、（Ｂ）は、第４の実施の形態のスキャナ部４２の内部構造及び回転時の状態を示す図である。
図６（Ａ）に示すように、スキャナ部４２は、ケース４３とその内部に収納されたスキャナ４４とからなる。ケース４３には円筒状の凸部４５が設けられ、その凸部４５はハンドヘルドターミナル４１側の穴４６に挿入され、ケース４３が回転可能に支持されている。また、スキャナ４４には、レーザー光の発光及び反射光の受光を制御する信号が伝送されるケーブル４７が接続されている。
【００２７】
商品に印刷されたバーコード等を読み取るときには、図５に示す位置または、ハンドヘルドターミナル４１の右側面に対して時計方向または反時計方向（図５の矢印の方向）に９０°回転させた位置にスキャナ部４２を固定する。
【００２８】
例えば、ハンドヘルドターミナル４１の使用者から見てバーコードが縦方向となるように箱が積まれているときには、バーコードを読み取るためにはバーコードの印刷されている方向に沿ってスキャンする必要がある。
【００２９】
ところが、ハンドヘルドターミナル４１のスキャナ４４のスキャン方向は予め１つの方向に決められており、例えば、ハンドヘルドターミナル４１の長手方向と直交する方向、つまりハンドヘルドターミナル４１を手で持ったときの横方向にスキャン方向が設定されている。そのため、バーコードが縦方向に印刷されているときには、手首を９０°傾けた状態でバーコードをスキャンする必要があり操作性があまりよくない。
【００３０】
このような場合、図６（Ｂ）に示すように、スキャナ部４２を通常の位置から９０°回転させることで、横方向に印刷されているバーコードを読み取る場合と全く同じ操作で縦方向に印刷されているバーコードを読み取ることができる。
【００３１】
従って、読み取り対象のバーコード等がどのような方向に置かれていても、スキャナ部４２を回転させることで、手首に負担をかけずにスキャンすることができ操作性を向上させることができる。
【００３２】
次に、図７は、ハンドヘルドターミナル５１の側面にスキャナ部５２を設け、さらに、スキャナ部５２を側面に対して上方向（図７の矢印Ａ方向）と、側面に対して時計方向及び反時計方向（図７の矢印Ｂ方向）に回転可能に取り付けた本発明の第５の実施の形態の要部外観図である。
【００３３】
この第５の実施の形態のスキャナ部５２を回転させるための構造は、図４に示した第３の実施の形態の回転構造と、図６に示した第４の実施の形態の回転構造を組み合わせたものである。
【００３４】
この第５の実施の形態によれば、スキャナ部５２をハンドヘルドターミナル５１の側面に対して上方向、時計方向及び反時計方向に回転させることができる。
従って、例えば、荷物の積み方等によりバーコードが縦方向に印刷されている場合にも、スキャナ部５２を回転させることでスキャン方向を縦に変更することができるので、ハンドヘルドターミナル５１を手で握り手首を真っ直ぐにした状態でバーコードを読み取ることができる。これにより、バーコードの印刷方向に影響されずに同じ操作でバーコードの読み取りを行うことができる。
【００３５】
次に、図８は、スキャナ部６２を印字部１４の裏面側に設けた本発明の第６の実施の形態の外観図である。
この第６の実施の形態は、ハンドヘルドターミナル６１のキー入力部１２及び表示部１３が設けられている側を正面側としたときに、上部の印字部１４の裏面側にスキャナ部６２を設けている。さらに、そのスキャナ部６２の傾斜した部分にレーザー光の発光のオン、オフを制御するスイッチ６３が設けられている。従って、ハンドヘルドターミナル６１の上部のスキャナ部６２をバーコードの方向に向けることでバーコードを読み取ることができる。
【００３６】
この第６の実施の形態によれば、スキャナ６２を印字部１４の裏面側に設けたので、ハンドヘルドターミナル６１を手で持った状態で上下、左右方向に、商品、あるいは商品を収納した箱に印刷されたバーコード等をスキャンすることができる。従って、ハンドヘルドターミナル６１の操作性を損なうことなく、バーコード等の読み取りを行うことができる。
【００３７】
本発明は上述した実施の形態に限定されず、以下のように構成して良い。
（ａ）印字部１４をハンドヘルドターミナル１１，２１，３１、４１，５１，６１の上部に設けたが、本体の下部、裏面等他の場所に設けても良い。
（ｂ）スキャナは、バーコードを読み取るレーザスキャナに限らず、画像を読み取るＣＣＤセンサ等で構成しても良い。
（ｃ）第６の実施の形態において、印字部１４の裏面側に設けたスキャナ６２を本体６１側に折り畳める構造にして良い。
（ｄ）キー入力部１２をタッチパネル方式にして、表示部１３と一体にしても良い。
（ｅ）上述した実施の形態では、印字部を有するハンドヘルドターミナルについて説明したが、印字部を有しない携帯端末装置の側面にＣＣＤセンサ等からなるカメラ（スキャナ）を回転可能に取り付け、そのカメラの下部のスイッチをシャッタボタンとして使用するようにしても良い。
（ｆ）本発明は、ハンドヘルドターミナルに限らず、携帯型でイメージセンサ、バーコードリーダ等を有する携帯型の端末装置に適用できる。
【００３８】
また、画像読み取り部をオン、オフするスイッチを画像読み取り部の近傍に設けることで、画像読み取り部を測定対象物に向けた状態で、指でスイッチを操作して画像を読み取ることができる。
【図１】
0004619654.tif 000002
【図２】
0004619654.tif 000003
【図３】
0004619654.tif 000004
【図４】
0004619654.tif 000005
【図５】
0004619654.tif 000006
【図６】
0004619654.tif 000007
【図７】
0004619654.tif 000008
【図８】
0004619654.tif 000009